(57)【要約】【課題】安全に、効率良く、しかも短期間で多層ラーメン高架橋の補強工事を行う。【解決手段】既設の多層ラーメン高架橋の橋脚Ｐに補強鋼板Ｓを巻立て、モルタルＭ注入することにより橋脚Ｐの耐震性を増大させるための工事において、橋脚Ｐ間の梁材Ｂ上に設置させる支持フレーム１２に鋼板Ｓを橋脚Ｐに巻立てる受け台２２を傾倒自在に配してなる施工用治具を、地面Ｇに設置した後、受け台２２を傾倒させた施工用治具を一対、梁材Ｂ上にそれぞれ設置した後、各受け台２２上に補強鋼板Ｓを固定した後、受け台２２を垂直に起立させ、補強鋼板Ｓを橋脚Ｐ外周両側に立設させた後、両補強鋼板Ｓを溶着させ、補強鋼板Ｓと橋脚Ｐ外周面との間にモルタルＭを注入することを特徴とする。【選択図】            図１
2004150123.tif 000002
【特許請求の範囲】
【請求項１】
既設の多層ラーメン高架橋の橋脚（Ｐ）  に補強鋼板（Ｓ）  を巻立て、この補強鋼板（Ｓ）  と橋脚（Ｐ）  外周面との間にモルタル（Ｍ）  を注入することにより、橋脚（Ｐ）  の耐震性を増大させるための工事において、
隣接する橋脚（Ｐ）  間に配設された梁材（Ｂ）  上に設置させる支持フレーム（１２）の一側縁に、鋼板（Ｓ）  を橋脚（Ｐ）  外周に立設させる受け台（２２）を起倒自在に配してなる施工用治具を、地面（Ｇ）  に設置した後、
各施工用治具の受け台（２２）を傾倒させ、高さを低くした状態とし、この施工用治具を一対、補強すべき橋脚（Ｐ）  の両側の梁材（Ｂ）  上に、吊上手段（Ｃ）  を介してそれぞれ設置した後、
各施工用治具の受け台（２２）上に補強鋼板（Ｓ）  を固定した後、
各施工用治具の受け台（２２）を垂直に起立させ、受け台（２２）に固定した補強鋼板（Ｓ）  を橋脚（Ｐ）  外周両側に立設させた後、
両補強鋼板（Ｓ）  を溶着させ、補強鋼板（Ｓ）  と橋脚（Ｐ）  外周面との間にモルタル（Ｍ）  を注入することを特徴とする多層ラーメン高架橋の鋼板巻き補強工事における急速施工方法。
【請求項２】
受け台（２２）を支持フレーム（１２）に対して前後、横移動自在とし、橋脚（Ｐ）  に巻立てる補強鋼板（Ｓ）  の位置調整を可能としたことを特徴とする請求項１記載の多層ラーメン高架橋の鋼板巻き補強工事における急速施工方法。
【請求項３】
既設の多層ラーメン高架橋の橋脚（Ｐ）  に補強鋼板（Ｓ）  を巻立て、この補強鋼板（Ｓ）  と橋脚（Ｐ）  外周面との間にモルタル（Ｍ）  を注入することにより、橋脚（Ｐ）  の耐震性を増大させるための工事において、
隣接する橋脚（Ｐ）  間に配設された梁材（Ｂ）  上に設置させる支持フレーム（１２）の前後方向の一側縁に、補強鋼板（Ｓ）  を橋脚（Ｐ）  外周に立設させる受け台（２２）を起倒自在に配してなることを特徴とする多層ラーメン高架橋の鋼板巻き補強工事における急速施工用治具。
【請求項４】
受け台（２２）を支持フレーム（１２）に対して前後、横移動自在とし、橋脚（Ｐ）  に巻立てる補強鋼板（Ｓ）  の位置調整を可能としたことを特徴とする請求項３記載の多層ラーメン高架橋の鋼板巻き補強工事における急速施工用治具。
【発明の詳細な説明】
【０００１】
【発明の属する技術分野】
本発明は、道路、鉄道の多層ラーメン高架橋等の橋脚の耐震性を増大させるための補強工事における急速施工方法及び治具に関するものである。
【０００２】
【従来の技術】
元来、道路、鉄道の多層ラーメン高架橋等の鉄筋コンクリート製橋脚の耐震性を増大させるために、図７に示すように、橋脚の断面が矩形状である場合には、橋脚外周面に両側から、Ｌ型またはコ字型の２個の補強鋼板を巻立て（取囲み）、両補強鋼板を溶接させた後、この補強鋼板と橋脚外周との間にモルタルを注入して補強工事が行われている。
【０００３】
この工事を行う場合、大型車両により運搬されてきた大重量の補強鋼板を、その荷台から、クレーン等の吊上装置により垂直にして吊上げ、高所作業車の搭乗部に搭乗した作業者が手作業により位置調整し、橋脚の片側外周面に仮止めした後、再び別の補強鋼板を橋脚の他方の片側外周面に仮止めした後、高所作業車の搭乗部に搭乗した作業者が仮止めした両補強鋼板を溶接した後、補強鋼板と橋脚外周面との間にモルタルを注入していた（例えば、特許文献１〜４参照）。
【０００４】
【特許文献１】
特許第３０７９１２４号公報（第２−３頁、図１−４）
【特許文献２】
特許第３０３２７１６号公報（第４−５頁、図１）
【特許文献３】
特開平９−３０２６２７号公報（第２−３頁、図１−４）
【特許文献４】
特開平９−１７７０３６号公報（第３−４頁、図１、６、７）
【０００５】
なお、図７中Ｐは橋脚、Ｓは補強鋼板、Ｍはモルタルを示す。
【０００６】
【発明が解決しようとする課題】
従来の橋脚補強工事は、補強鋼板を吊上装置により垂直にして吊上げる都合上、吊上げスペースを広く必要とし、橋脚の高さが低い場合には補強鋼板吊上げ作業が不可能となるため、補強鋼板を分割して作業を行う必要があり、工程遅延の要因となっていた。
【０００７】
また、補強鋼板の橋脚外周への位置調整を作業者が手作業により行うため、作業に多大な労力と時間を必要とするばかりか、非常に危険であった。
【０００８】
本発明は、このような欠点に鑑み、安全に、効率良く、しかも短期間で多層ラーメン高架橋の補強工事を行うことができる多層ラーメン高架橋の鋼板巻き補強工事における急速施工方法及び治具を提供することを目的とするものである。
【０００９】
【課題を解決するための手段】
本発明は、既設の橋脚に補強鋼板を巻立て、この鋼板と橋脚外周面との間にモルタルを注入することにより、橋脚の耐震性を増大させるための工事において、隣接する橋脚間に配設された梁材上に設置させる支持フレームの前後方向の一側縁に、鋼板を橋脚外周に立設させる受け台を起倒自在に配してなる治具を、受け台を傾倒させ、高さを低くした状態とし、この治具を一対、補強すべき橋脚の両側の梁材上に、吊上手段を介してそれぞれ設置した後、各治具の受け台上に鋼板を固定した後、各治具の受け台を垂直に起立させ、受け台に固定した鋼板を橋脚外周両側に立設させた後、両鋼板を溶着させ、鋼板と橋脚外周面との間にモルタルを注入することを特徴とするもの、
または受け台を支持フレームに対して前後、横移動自在とし、橋脚に巻立てる鋼板の位置調整を可能としたことを特徴とするものである。
【００１０】
【発明の実施の形態】
本発明に係る多層ラーメン高架橋の鋼板巻き補強工事における急速施工用治具（以下単に治具という）は、既設の道路、鉄道等の多層ラーメン高架橋等の橋脚Ｐに補強鋼板（以下単に鋼板という）Ｓを巻立て、この鋼板Ｓと橋脚Ｐ外周面との間にモルタルＭを注入することにより、橋脚Ｐの耐震性を増大させるための工事において、隣接する橋脚Ｐ間に配設させた梁材Ｂ上に設置し、橋脚Ｐに鋼板Ｓを巻立てるものであり、図１〜図６に示すように、以下の構成からなるものである。
【００１１】
本例において、鋼板Ｓは、コンクリート製の断面矩形状の橋脚Ｐに巻立てるため、この橋脚Ｐに対応するコ字型形状のものを一対、橋脚Ｐの両側から巻立て補強工事が行われる。
【００１２】
隣接する橋脚Ｐ間に配設された梁材Ｂ上に設置させる支持フレーム１２に、前後、横方向に移動自在に移動フレーム１４を、配してある。
【００１３】
本例において、支持フレーム１２は、梁材Ｂの底面とジャッキ等の固定具１６を介して固定するため、下端を下方に延出させてある。
【００１４】
また、移動フレーム１４の前後、横移動は、支持フレーム１２に移動フレーム１４を前後、横方向にスライド自在に配設させ、移動手段である前後移動用伸縮シリンダー１８および横移動用伸縮シリンダー２０を伸縮させることにより、行う。
【００１５】
このため、橋脚Ｐに巻立てる鋼板Ｓの位置調整を極めて容易に行うことができる。
【００１６】
移動フレーム１４の前後方向の一側縁（図１左側の治具においては右側縁、図１右側の治具においては左側縁）に、鋼板Ｓを橋脚Ｐ外周に立設させる受け台２２を起倒自在に配してある。
【００１７】
本例において、受け台２２の起倒は、受け台２２を移動フレーム１４の一側縁に起倒自在に軸支させ、起倒手段である伸縮ジャッキ２４を伸縮させることにより、行う。
【００１８】
なお、図中２６は受け台２２に鋼板Ｓを固定するためのレバーブロック、２８は支持フレーム１２の下端間に装着する固定アングル、３０は固定アングル２８を梁材Ｂに固定するためのジャッキ等の固定具、３２は受け台２２に装着する足場、３４は橋脚Ｐの両側の梁材Ｂに設置した一対の治具間に装着する足場、Ｃはクレーン等の吊上手段、Ｇは地面、Ｈは作業者、Ｍはモルタルを示す。
【００１９】
本発明に係る治具を使用して多層ラーメン高架橋の鋼板巻き補強工事における急速施工する工程を、以下に詳述する。
【００２０】
本工程で補強する橋脚Ｐは、道路、鉄道の多層ラーメン高架橋等の断面矩形状の橋脚Ｐであり、この橋脚Ｐに巻立てる鋼板Ｓは橋脚Ｐの両側から巻立て可能な断面コ字型のものである。
【００２１】
まず、地面Ｇに治具を設置する（図３参照）。
【００２２】
次に、治具の受け台２２を傾倒させ、クレーン等の吊上手段Ｃにより吊上げ、隣接する橋脚Ｐ間に配した梁材Ｂ上に設置する（図４参照）。
【００２３】
この受け台２２を傾倒させるのは、高さを低くした状態とし、治具を吊上手段Ｃにより吊上げ、梁材Ｂ上に設置する際、地面Ｇおよび隣接する別の橋脚Ｐ、梁材Ｂとの高さ、距離に左右されることなく、吊上手段Ｃを橋脚Ｐに近接させて作業を行うことを可能とし、作業性を向上させるためである。
【００２４】
次に、治具を梁材Ｂに固定する。
【００２５】
この際、鋼板Ｓの受け台２２への固定時に鋼板Ｓの重量および起倒動作により治具の重心が移動するため、治具が梁材Ｂから脱落し易くなり、この脱落を防止することを目的とし、支持フレーム１２の下端を固定具１６により、支持フレーム１２の下端間に固定アングル２８を装着し、この固定アングル２８を固定具３０により、それぞれ梁材Ｂの底面に固定することにより、治具を梁材Ｂに確実に固定する。
【００２６】
この治具の梁材Ｂへの固定において、支持フレーム１２の両側部を梁材Ｂ側面に固定することが望ましい。
【００２７】
次に、治具の傾倒させた受け台２２に、鋼板Ｓを吊上手段Ｃを介して吊上げ、載置させ、レバーブロック２６により固定する（図５参照）。
【００２８】
次に、受け台２２を垂直に起立させ、受け台２２に固定した鋼板Ｓを橋脚Ｐの片側外周に立設させる（図６参照）。
【００２９】
この際、受け台２２の起立は、起倒手段である伸縮ジャッキ２４を伸長させることにより行う。
【００３０】
次に、前後移動用伸縮シリンダー１８を介して支持フレーム１２に対して移動フレーム１４を前後に、横移動用伸縮シリンダー２０を介して支持フレーム１２に対して移動フレーム１４を横方向に、移動させることにより、起立させた鋼板Ｓの橋脚Ｐへの位置調整を必要に応じて行う。
【００３１】
このため、作業者の手作業による鋼板Ｓの橋脚Ｐへの位置調整に比べ、極めて安全かつ容易に位置調整作業を行うことができる。
【００３２】
次に、橋脚Ｐの他の片側外周にも鋼板Ｓを立設させるため、別の治具の受け台２２を傾倒させて梁材Ｂ上に吊上手段Ｃを介して吊上げ、設置し、受け台２２上に鋼板Ｓを固定させ、橋脚Ｐ外周に鋼板Ｓを立設させる。
【００３３】
以上の工程により、橋脚Ｐの両側へ鋼板Ｓを巻立てる。
【００３４】
この巻立てた両鋼板Ｓは、レバーブロック等の緊締具により緊締、固定することが望ましい。
【００３５】
次に、橋脚Ｐの両側へ巻立てた両鋼板Ｓを溶着する。
【００３６】
この際、一対の治具間に足場３４を配設させ、この足場３４を使用して作業者が溶着作業を行う。
【００３７】
次に、溶着した両鋼板Ｓと橋脚Ｐ外周面との間にモルタルＭを充填する。
【００３８】
以上の工程により、多層ラーメン高架橋の橋脚Ｐへの鋼板巻き補強工事における急速施工が完了する。
【００３９】
このように、本発明に係る治具による鋼板巻き補強工事における急速施工方法によれば、受け台２２を傾倒させた状態にした治具を一対、吊上手段Ｃにより橋脚Ｐ間に配した梁材Ｂ上に吊上げ、設置した後、受け台２２上に鋼板Ｓを固定し、起立させて鋼板Ｓを橋脚Ｐに巻立てるため、受け台２２を傾倒させて高さを低くした状態で治具の吊上げ、設置が可能となり、地面Ｇおよび隣接する別の橋脚Ｐ、梁材Ｂとの高さ、距離に左右されることなく、吊上手段Ｃを橋脚Ｐに近接させて作業を行うことができ、安全、容易、かつスムーズに、効率良く、しかも短期間で作業を行うことができる。
【００４０】
また、受け台２２を支持フレーム１２に対して前後、横方向に移動させることにより、起立させた鋼板Ｓの橋脚Ｐへの位置調整を安全、かつ容易に行うことができ、鋼板の位置調整にかかる作業負担を激減させることができる。
【００４１】
また、橋脚Ｐの両側に設置した一対の治具間に足場３４を配設させることにより、この足場３４を使用して鋼板Ｓの溶着作業を行うことができ、従来のように高所作業車を使用する必要が皆無となり、作業性が向上するばかりか、作業コストを激減することができる。
【００４２】
なお、本例において、受け台２２の支持フレーム１２に対する前後、横移動は、支持フレーム１２に前後、横移動自在に配した移動フレーム１４によるものであるが、移動フレーム１４を省略し、受け台２２を直接支持フレーム１２に前後、横移動自在に配してもよく、その他の前後、横移動自在の機構を採用することは自由である。
【００４３】
また、受け台２２の前後、横移動機構を省略し、鋼板Ｓを巻立てる治具を、補強すべき橋脚Ｐの両側の梁材Ｂに正確に設置することにより、本発明特有の安全、容易、かつスムーズに、しかも効率良く鋼板巻き補強作業を行う効果を奏する。
【００４４】
また、支持フレーム１２に対する移動フレーム１４の移動手段、受け台２２の起倒手段は、前後移動用伸縮シリンダー１８、横移動用伸縮シリンダー２０、伸縮ジャッキ２４であるが、他の機構を採用することは自由である。
【００４５】
また、橋脚Ｐに巻立てる鋼板Ｓに対応させて、受け台２２を交換使用することは自明である。
【００４６】
また、受け台２２を長さ方向に伸縮自在とすることにより、橋脚Ｐに巻立てる鋼板Ｓに対応させて、受け台２２の長さを伸縮させ、種々の鋼板Ｓを固定することが可能となり、より多くの現場に転用できることは自明である。
【００４７】
また、橋脚Ｐの断面形状は矩形状であるが、円形である場合には鋼板Ｓを半円型のものとすればよく、橋脚Ｐの断面形状および鋼板Ｓの形状は本例に限定されることはない。
【００４８】
また、本工法における受け台２２への鋼板Ｓの固定は、治具の梁材Ｂ上への設置後行うものであるが、予め受け台２２へ鋼板Ｓを固定後、この治具を梁材Ｂ上に設置することは自明である。
【００４９】
【発明の効果】
本発明に係る多層ラーメン高架橋の鋼板巻き補強工事における急速施工方法及び治具によれば、受け台を傾倒させた状態で治具を一対、吊上手段により橋脚間に配した梁材上に吊上げ、設置した後、受け台に鋼板を固定し、受け台を起立させて鋼板を橋脚に巻立てるため、受け台を傾倒させて高さを低くした状態で治具の吊上げ、設置が可能となり、地面および隣接する別の橋脚、梁材との高さ、距離に左右されることなく、吊上手段を橋脚により近接させて作業を行うことが可能となり、安全、容易、かつスムーズに、効率良く、しかも短期間で作業を行うことができる。
【００５０】
また、受け台を支持フレームに対して前後、横方向に移動させることにより、起立させた鋼板の橋脚への位置調整を安全、かつ容易に行うことができ、鋼板の位置調整にかかる作業負担を激減させることができる。
【図面の簡単な説明】
【図１】本発明に係る多層ラーメン高架橋の鋼板巻き補強工事における急速施工用治具の使用状態を示す正面図。
【図２】同、側面図。
【図３】第１作業工程を示す、（イ）は正面図、（ロ）は側面図。
【図４】第２作業工程を示す、（イ）は正面図、（ロ）は側面図
【図５】第３作業工程を示す、（イ）は正面図、（ロ）は側面図。
【図６】第４作業工程を示す、（イ）は正面図、（ロ）は側面図
【図７】補強された橋脚を示す（イ）は正面図、（ロ）は断面図。
【符号の説明】
Ｐ  橋脚
Ｂ  梁材
Ｓ  補強鋼板
Ｍ  モルタル
Ｃ  吊上手段
１２  支持フレーム
１８  前後移動用伸縮シリンダー
２０  横移動用伸縮シリンダー
２２  受け台
２４  伸縮ジャッキ
【図１】
2004150123.tif 000003
【図２】
2004150123.tif 000004
【図３】
2004150123.tif 000005
【図４】
2004150123.tif 000006
【図５】
2004150123.tif 000007
【図６】
2004150123.tif 000008
【図７】
2004150123.tif 000009